(57)【特許請求の範囲】
【請求項１】
後工程で製品識別表示を印字又は打刻することができる特定部位を、絞り成形で一体形成することができるプレス金型において、
このプレス金型は、一般成形面とこの一般成形面から突出又は窪んで前記一般成形面よりもブランク材を大きく成形する面とを備え、
前記ブランク材を絞り成形する下型の前記一般成形面に、前記特定部位を形成する下特定部位形成部が設けられ、この下特定部位形成部に、前記ブランク材に付着する異物の径を超える深さの逃げ部が設けられ、
前記ブランク材を絞り成形する上型の前記一般成形面に、前記特定部位を形成する上特定部位形成部が設けられ、この上特定部位形成部に、前記ブランク材に付着する異物の径を超える深さの逃げ部が設けられていることを特徴とするプレス金型。
【請求項２】
前記逃げ部の深さは、少なくとも１．０ｍｍに設定されていることを特徴とする請求項１記載のプレス金型。
【請求項３】
前記下特定部位形成部は、前記下型の一般面から突出又は窪んでおり、前記上特定部位形成部は、前記上型の一般面から窪んでいる又は突出していることを特徴とする請求項１又は請求項２記載のプレス金型。
【請求項４】
請求項１〜３のいずれか１項記載のプレス金型で絞り成形され、前記特定部位が形成されていることを特徴とする絞り成形品。
【発明の詳細な説明】
【技術分野】
【０００１】
本発明は、後工程で製品識別表示例えば製品管理番号を印字又は打刻することができる特定部位を、絞り成形品に絞り成形で一体形成することができるプレス金型に関する。
【背景技術】
【０００２】
図１１は従来の車両用床パネルの斜視図であり、車両用床パネル１００は、ブランク材をプレス金型で絞り成形し、縁切り（トリミング）されることで得られる。
【０００３】
図１２に示すように、車両用床パネル１００には、製品識別表示として例えば製品管理番号１０１が、印字又は打刻される。この製品管理番号１０１は、後工程及び出荷後の追跡調査に用いられる。
ところで、ブランク材には、運搬中にゴミや鉄粉などの異物が付着する。絞り成形前に清掃を行うが、排除できなかった異物が残ることがあり、この異物が硬いときには、プレス加工時の異物の噛み込みに起因して、絞り成形品の表面に微細な凹凸（以下、単に凹凸と記す。）が残る。
【０００４】
図１３に示すように、絞り成形品１０２には、全体的に凹凸１０３が付く。この凹凸１０３は、幅Ｗ×長さＬで指定された特定部位１０４にも等しく付く。
凹凸１０３の形態によっては、文字１０５が不鮮明になる。
【０００５】
対策として、特定部位１０４のみを印字又は打刻前に研くことが考えられる。しかし、正規の文字１０５を削り、研いて別途付した文字（非正規の文字）と、正規の文字１０５との区別がつかなくなるため、特定部位１０４を研くことは、許されない。
【０００６】
そこで、特定部位１０４に、許容値を超えた深さや大きさの凹凸１０３が付いた場合には、絞り成形品１０２を単位に廃却する（スクラップ化）する。これでは歩留まりが悪化し、絞り成形品の生産費が上昇する。
【０００７】
別の対策として、絞り成形品に、絞り成形段階で凹凸を付けないようにすることが考えられる（例えば、特許文献１（図１）参照。）。
【０００８】
特許文献１を次図に基づいて説明する。
図１４は従来の金型を説明する図であり、下型１１０の成形面１１１に無数の凹陥部１１２が設けられている。凹陥部１１２は円環溝である。
異物は凹陥部１１２に落ちるため、成形面１１１は綺麗になり、凹凸の発生を防止することができるというものである。
【０００９】
しかし、下型１１０の成形面１１１に無数の凹陥部１１２を加工すると、加工費が嵩み、金型が極めて高価になる。そのため、この対策は採用し難い。
【００１０】
そこで、特定部位に凹凸を付けないようなプレス金型において、金型費を低減することができる構造が求められる。
【先行技術文献】
【特許文献】
【００１１】
【特許文献１】特開２０１０−２４０６８８公報
【発明の概要】
【発明が解決しようとする課題】
【００１２】
本発明は、特定部位に凹凸を付けないようなプレス金型において、金型費を低減することができる構造を提供することを課題とする。
【課題を解決するための手段】
【００１３】
請求項１に係る発明は、後工程で製品識別表示を印字又は打刻することができる特定部位を、絞り成形で一体形成することができるプレス金型において、
このプレス金型は、一般成形面とこの一般成形面から突出又は窪んで前記一般成形面よりもブランク材を大きく成形する面とを備え、
前記ブランク材を絞り成形する下型の前記一般成形面に、前記特定部位を形成する下特定部位形成部が設けられ、この下特定部位形成部に、前記ブランク材に付着する異物の径を超える深さの逃げ部が設けられ、
前記ブランク材を絞り成形する上型の前記一般成形面に、前記特定部位を形成する上特定部位形成部が設けられ、この上特定部位形成部に、前記ブランク材に付着する異物の径を超える深さの逃げ部が設けられていることを特徴とする。
【００１４】
請求項２に係る発明では、逃げ部の深さは、少なくとも１．０ｍｍに設定されていることを特徴とする。
【００１５】
請求項３に係る発明では、下特定部位形成部は、下型の一般面から突出又は窪んでおり、上特定部位形成部は、上型の一般面から窪んでいる又は突出していることを特徴とする。
【００１６】
請求項４に係る発明は、請求項１〜３のいずれか１項記載のプレス金型で絞り成形され、特定部位が形成されていることを特徴とする絞り成形品である。
【発明の効果】
【００１７】
請求項１に係る発明では、下特定部位形成部及び上特定部位形成部により、特定部位が形成される。このとき、逃げ部の存在により、特定部位に下型と上型へ押力が加わらない。そのため、仮に、ブランク材に異物が付着していても、逃げ部の存在により、特定部位に凹凸が付く心配はない。
【００１８】
プレス金型に無数の凹陥部を設ける必要なく、特定部位にのみ下特定部位形成部及び上特定部位形成部を設けるだけですみ、プレス金型費の上昇を抑制することができる。
【００１９】
請求項２に係る発明では、逃げ部の深さは、ブランク材に付着する異物の径より大きく設定されている。仮に、ブランク材に異物が付着していても、この異物は逃げ部に収納されるため、特定部位に凹凸が付く心配はさらに無くなる。
【００２０】
請求項３に係る発明では、下特定部位形成部は、下型の一般面から突出又は窪んでおり、上特定部位形成部は、上型の一般面から窪んでいる又は突出している。  逃げ部の存在により、特定部位が波打つことが心配される。しかし、下特定部位形成部と上特定部位形成部とで、ブランク材を挟むと、ブランク材に成形面に沿った張力が加わる。この張力により、特定部位は平坦になる。
【００２１】
請求項４に係る発明は、請求項１〜３のいずれか１項記載のプレス金型で絞り成形され、特定部位が形成されている絞り成形品である。この絞り成形品は、特定部位に凹凸が付いていない。製品歩留まりがよくなり、絞り成形品の生産コストを下げることができる。
【図面の簡単な説明】
【００２２】
【図１】本発明に係るプレス金型の断面図である。
【図２】図１の２部拡大図である。
【図３】図２の３−３矢視図である。
【図４】絞り成形前の形態を示す図である。
【図５】絞り成形後の形態を示す図である。
【図６】絞り成形品の斜視図である。
【図７】図６の７部拡大図である。
【図８】図４の変更例を示す図である。
【図９】図２の変更例を示す図である。
【図１０】図２のさらなる変更例を示す図である。
【図１１】従来の車両用床パネルの斜視図である。
【図１２】図１１の１２部拡大図である。
【図１３】従来の課題を説明する図である。
【図１４】従来の金型を説明する図である。
【発明を実施するための形態】
【００２３】
本発明の実施の形態を添付図に基づいて以下に説明する。なお、図面は符号の向きに見るものとする。
【実施例】
【００２４】
図１に示すように、プレス金型１０は、ボルスタ１１で支えられる下型１２と、上部フレーム１３で支えられる上型１４と、この上型１４にブランク材を押し付けるブランクホルダ１５とからなる。
【００２５】
なお、プレス金型１０を作動させるプレス機の構造は適宜選択できる。すなわち、下型１２を静止させて上型１４を昇降させる、若しくは上型１４を静止させ下型１２を昇降させる、又は下型１２と上型１４を共に上下動させてもよい。要は、下型１２に相対的に上型１４が移動すればよい
【００２６】
図２に示すように、特定部位を形成するために下型１２に局部的に下特定部位形成部１７が一体形成される。この例では下特定部位形成部１７は、下型１２の一般面（一般成形面）１８から上に突出している。そして、上に凸の下特定部位形成部１７に、下へ窪んだ逃げ部１９が設けられている。
【００２７】
逃げ部１９の深さＤ１は、ゴミや金属粉などの異物の外径より大きく設定される。
経験的には、異物の外径は０．５ｍｍ以下なので、逃げ部１９の深さＤ１は１．０ｍｍ以上に設定する。更に、異物の体積、金型の強度、逃げ部の製作などを考慮すると、好ましくは３．０ｍｍ以上に設定することが望ましい。
【００２８】
特定部位を形成するために上型１４に局部的に上特定部位形成部２１が一体形成される。この例では上特定部位形成部２１は、上型１４の一般面２２から上に窪んでいる。そして、上に凹の上特定部位形成部２１に、上へ窪んだ逃げ部２３が設けられている。
逃げ部２３の深さＤ２も同様に、１．０ｍｍ以上、好ましくは３．０ｍｍ以上に設定することが望ましい。
【００２９】
図３は図２の３−３矢視図であり、下特定部位形成部１７は、Ｗ×Ｌの逃げ部１９を囲う頂部２４と、この頂部２４を囲うスロープ２５とを備える。Ｗ×Ｌは特定部位の大きさに相当するため、下特定部位形成部１７は特定部位より一周り大きくする。
【００３０】
以上の構成からなる下特定部位形成部１７及び上特定部位形成部２１の作用を次に説明する。
図４に示すように、下型１２にブランク材２６を載せる。ブランク材２６は、必然的に下特定部位形成部１７にも載る。このブランク材２６には、上面に異物２７が付着し、下面に異物２８が付着している。
プレス工程の一環で、上型１４を白抜き矢印のように下げる。
【００３１】
図５に示すように、下型１２と上型１４とにより、ブランク材２６が絞られる。このときに、下特定部位形成部１７と上特定部位形成部２１とで特定部位３０が絞り形成される。この際、下面に付いている異物２８は下型１２側の逃げ部１９に収納される又は落下し、上面に付いている異物２７は上型１４側の逃げ部２３に収納される。従って、特定部位３０では、異物２７、２８が特定部位３０に噛み込む心配はない。
【００３２】
なお、逃げ部１９、２３の存在により、特定部位３０が波打つことが心配される。しかし、上に凸の下特定部位形成部１７と上に凹の上特定部位形成部２１とで、ブランク材２６を挟むと、ブランク材２６に張力（図面左右の力）が加わり、この張力により特定部位３０は、引張られて平坦になる。
【００３３】
上記作用を詳しく説明する。ブランク材２６は、図１に示すブランクホルダにて外周面がクランプされている。次に、クランプされた状態で、下特定部位形成部１７が上特定部位形成部２１へ相対的に進入することで、ブランク材２６が折り曲げられる。このときに、ブランク材２６は、下特定部位形成部１７のアールの頂点１７ａを折り曲げ始点とし、上特定部位形成部２１のアールを頂点２１ａの部位で押し下げられる。頂点１７ａと頂点２１ａとの間が強く引張られる。結果、左右の頂点１７ａ、１７ａ間は強く引かれて平坦となる。
【００３４】
本発明のプレス金型１０で絞り成形された絞り成形品は、図６に示す。絞り成形品３１には、局部的に特定部位３０が形成されている。
図７に示すように、Ｗ×Ｌの大きさの特定部位３０には、凹凸が付いていない。
凹凸がなければ絞り成形品３１を廃却する必要が無く、製品歩留まりがよくなり、絞り成形品３１の生産コストを下げることができる。
【００３５】
さらに、図１に示すように、プレス金型１０に無数の凹陥部を設ける必要なく、特定部位にのみ下特定部位形成部１７及び上特定部位形成部２１を設けるだけですみ、プレス金型費の上昇を抑制することができる。
【００３６】
以下、本発明に係る変更例を、図面に基づいて説明する。なお、符号は流用し、変更点のみを説明する。
図８（ａ）に示すように、上特定部位形成部２１にのみ逃げ部２３を設けることができる。
図８（ｂ）に示すように、ブランク材２６の上面の異物２７は逃げ部２３に収納される。
【００３７】
仮に、ブランク材２６に異物２７、２８が付着していても、逃げ部２３の存在により、特定部位３０に下型１２と上型１４へ押力が加わらない。そのため、特定部位３０の外観面（この例では上面）に凹凸が付く心配はない。
ただし、特定部位３０の下面に凹凸が付くことは回避できない。その点では、図４の構造が勝る。
【００３８】
また、図９に示すように、天地を逆にして、下型１２に、下へ窪ませて下特定部位形成部１７を設け、上型１４に、下へ突起させて上特定部位形成部２１を設けてもよい。
【００３９】
以上に述べたように逃げ部１９、２３の存在が重要である。そこで、図１０に示すように、下型１２の一般面１８に直接的に逃げ部１９を設け、上型１４の一般面２２に直接的に逃げ部２３を設けてもよい。
【００４０】
尚、本発明は、車両用床パネルのプレス成形に好適であるが、車両用各種パネルであれば用途は問わない。また、製品識別表示を印字又は打刻する絞り成形品であれば、車両用パネル以外のパネルにも本発明は適用できる。
また、製品識別表示は、アラビア数字、漢数字、アルファベット、その他の記号又はこれらが組合せられた表示であればよく、製品管理番号に限定するものではない。
【産業上の利用可能性】
【００４１】
本発明は、車両用床パネルのプレス成形に好適である。
【符号の説明】
【００４２】
１０…プレス金型、１２…下型、１４…上型、１７…下特定部位形成部、１８…下型の一般面、１９…下型側の逃げ部、２１…上特定部位形成部、２２…上型の一般面、２３…上型側の逃げ部、２６…ブランク材、２７、２８…異物、３０…特定部位、３１…絞り成形品、１０１…製品識別表示としての製品管理番号。
【図１】
0005499060.tif 000002
【図２】
0005499060.tif 000003
【図３】
0005499060.tif 000004
【図４】
0005499060.tif 000005
【図５】
0005499060.tif 000006
【図６】
0005499060.tif 000007
【図７】
0005499060.tif 000008
【図８】
0005499060.tif 000009
【図９】
0005499060.tif 000010
【図１０】
0005499060.tif 000011
【図１１】
0005499060.tif 000012
【図１２】
0005499060.tif 000013
【図１３】
0005499060.tif 000014
【図１４】
0005499060.tif 000015